(57)【要約】  【課題】  ユーザが複数種類の電気機器を操作することができるメモリデバイスを、該メモリデバイスを用いてユーザが操作できる電気機器に接続してなる電気装置、前記メモリデバイス及び前記電気機器を提供する。  【解決手段】  操作部１４を備えるＰＣカード１（メモリデバイス）は液晶テレビ２（電気機器）に接続され、液晶テレビ２から液晶テレビ２の動作に対応する動作情報を取得し、取得した動作情報に対応する操作指示を操作部１４に設定し、操作部１４が受け付けた操作指示を液晶テレビ２へ送出する。液晶テレビ２は、ＰＣカード１が送出した操作指示を受け付けて作動する。【選択図】      図１
2005258914.tif 000002
【特許請求の範囲】
【請求項１】
メモリデバイスが備える外部接続手段を、電気機器が備えるデバイス接続手段に接続してなる電気装置において、
前記メモリデバイスは、
操作指示を受け付ける操作手段と、
前記電気機器の動作に対応する動作情報を、前記外部接続手段を介して取得する取得手段と、
該取得手段にて取得した動作情報に関連する操作指示を前記操作手段が受け付けるよう該操作手段及び前記操作指示の関係を前記操作手段に設定する設定手段と、
該設定手段にて前記操作指示が設定された場合に前記操作手段が操作指示を受け付けたとき、受け付けた操作指示を、前記外部接続手段を介して前記電気機器へ送出する操作指示送出手段と
を備え、
前記電気機器は、
前記デバイス接続手段に前記メモリデバイスが接続されたか否かを検知する接続検知手段と、
該接続検知手段にて前記メモリデバイスの接続を検知した場合、自身の動作に対応する動作情報を、前記デバイス接続手段を介して前記メモリデバイスへ送出する動作情報送出手段と、
前記デバイス接続手段を介して受け付けた操作指示に応じて作動する作動手段と
を備えることを特徴とする電気装置。
【請求項２】
メモリデバイスが備える外部接続手段を、電気機器が備えるデバイス接続手段に接続してなる電気装置において、
前記メモリデバイスは、
操作指示を受け付ける操作手段と、
複数の電気機器及び各電気機器の動作に対応する動作情報を関連付けて記憶する動作情報記憶手段と、
前記外部接続手段に接続された電気機器を検知する機器検知手段と、
該機器検知手段にて検知した電気機器に関連付けて前記動作情報記憶手段に記憶してある動作情報を読み出す読出手段と、
該読出手段にて読み出した動作情報に関連する操作指示を前記操作手段が受け付けるよう該操作手段及び前記操作指示の関係を前記操作手段に設定する設定手段と、
該設定手段にて前記操作指示が設定された場合に前記操作手段が操作指示を受け付けたとき、受け付けた操作指示を、前記外部接続手段を介して前記電気機器へ送出する操作指示送出手段と
を備え、
前記電気機器は、前記デバイス接続手段を介して受け付けた操作指示に応じて作動する手段を備えることを特徴とする電気装置。
【請求項３】
外部の機器に接続する外部接続手段を備えるメモリデバイスにおいて、
操作指示を受け付ける操作手段と、
前記外部接続手段に接続される機器の動作に対応する動作情報を、前記外部接続手段を介して取得する取得手段と、
該取得手段にて取得した動作情報に関連する操作指示を前記操作手段が受け付けるよう該操作手段及び前記操作指示の関係を前記操作手段に設定する設定手段と、
該設定手段にて前記操作指示が設定された場合に前記操作手段が操作指示を受け付けたとき、受け付けた操作指示を、前記外部接続手段を介して外部へ送出する操作指示送出手段と
を備えることを特徴とするメモリデバイス。
【請求項４】
外部の機器に接続する外部接続手段を備えるメモリデバイスにおいて、
操作指示を受け付ける操作手段と、
複数の機器及び各機器の動作に対応する動作情報を関連付けて記憶する動作情報記憶手段と、
前記外部接続手段に接続される機器を検知する機器検知手段と、
該機器検知手段にて検知した機器に関連付けて前記動作情報記憶手段に記憶してある動作情報を読み出す読出手段と、
該読出手段にて読み出した動作情報に関連する操作指示を前記操作手段が受け付けるよう該操作手段及び前記操作指示の関係を前記操作手段に設定する設定手段と、
該設定手段にて前記操作指示が設定された場合に前記操作手段が操作指示を受け付けたとき、受け付けた操作指示を、前記外部接続手段を介して外部へ送出する操作指示送出手段と
を備えることを特徴とするメモリデバイス。
【請求項５】
受け付けた操作指示に応じて作動する電気機器において、
外部のデバイスを接続するデバイス接続手段と、
該デバイス接続手段に前記デバイスが接続されたか否かを検知する接続検知手段と、
該接続検知手段にて前記デバイスの接続を検知した場合、自身の動作に対応する動作情報を、前記デバイス接続手段を介して外部へ送出する動作情報送出手段と、
前記デバイス接続手段を介して受け付けた操作指示に応じて作動する作動手段と
を備えることを特徴とする電気機器。
【発明の詳細な説明】
【技術分野】
【０００１】
本発明は、データを記憶するメモリデバイスを、受け付けた操作指示に応じて作動する電気機器に接続してなる電気装置、並びに該電気装置を構成するメモリデバイス及び電気機器に関する。
【背景技術】
【０００２】
ＰＣカード型のメモリカード、又はＰＣカードアダプタを介して非ＰＣカード型のメモリカードを挿脱するためのＰＣカード用スロットを備える電気機器（テレビ、カメラ等）が存在する。このような電気機器はＰＣカード用スロット内の接続部に接続されたメモリカードに、受信した番組、撮像した画像等に係るデータを記憶でき、更にメモリカードに記憶されたデータを再生できる（非特許文献１参照）。
【０００３】
また、従来、カメラが撮影した画像のデータを記憶し、更に、ユーザがカメラを操作してカメラに各種の動作、例えばメモリカードに記憶されたデータの処理を実行させる操作手段を有するメモリカードが提案されている（特許文献１参照）。
【非特許文献１】“テレビを見ながらメモリーカードに録画できるメモ録機能＆ＢＳアナログチューナー内蔵”、［online］、［平成１６年１月２３日検索］、インターネット＜ＵＲＬ：http://www.sharp.co.jp/products/lc20b3/text/b.html＞
【特許文献１】実開平５−７９７９７号公報
【発明の開示】
【発明が解決しようとする課題】
【０００４】
複数の電気機器の間でメモリカードを共有する場合、ユーザの利便性を向上させるためには、メモリカード又はＰＣカードアダプタが各電気機器を操作する操作手段を備えていることが望ましい。特に、各電気機器がメモリカードと接続されている場合にのみ利用される動作（例えばメモリカードに対するデータの読み書き）に対応する操作手段をメモリカード又はＰＣカードアダプタが備える場合、このような動作に対応する操作手段を各電気機器が備える必要がない。
【０００５】
しかしながら、特許文献１に開示されたメモリカードは、これに対応するカメラを操作することはできるが、カメラ以外の電気機器（例えばテレビ）を操作することができない。つまり、従来のメモリカードは複数の電気機器の間での互換性がある操作手段を備えていないという問題があった。
【０００６】
本発明は斯かる問題を解決するためになされたものであり、メモリデバイスが、接続した電気機器の動作情報を取得し、取得した動作情報に関連する操作指示を受け付けることにより、ユーザが複数の電気機器を操作することができるメモリデバイスを、該メモリデバイスを用いてユーザが操作できる電気機器に接続してなる電気装置、並びに該電気装置を構成できるメモリデバイス及び電気機器を提供することを目的とする。
【０００７】
本発明の他の目的は、メモリデバイスが、複数の電気機器の動作情報を記憶しておき、接続した電気機器の動作手段を読み出し、読み出した動作情報に関連する操作指示を受け付けることにより、ユーザが複数の電気機器を操作することができるメモリデバイスを、該メモリデバイスを用いてユーザが操作できる電気機器に接続してなる電気装置、及び該電気装置を構成できるメモリデバイスを提供することにある。
【課題を解決するための手段】
【０００８】
本発明に係る電気装置は、メモリデバイスが備える外部接続手段を、電気機器が備えるデバイス接続手段に接続してなる電気装置において、前記メモリデバイスは、操作指示を受け付ける操作手段と、前記電気機器の動作に対応する動作情報を、前記外部接続手段を介して取得する取得手段と、該取得手段にて取得した動作情報に関連する操作指示を前記操作手段が受け付けるよう該操作手段及び前記操作指示の関係を前記操作手段に設定する設定手段と、該設定手段にて前記操作指示が設定された場合に前記操作手段が操作指示を受け付けたとき、受け付けた操作指示を、前記外部接続手段を介して前記電気機器へ送出する操作指示送出手段とを備え、前記電気機器は、前記デバイス接続手段に前記メモリデバイスが接続されたか否かを検知する接続検知手段と、該接続検知手段にて前記メモリデバイスの接続を検知した場合、自身の動作に対応する動作情報を、前記デバイス接続手段を介して前記メモリデバイスへ送出する動作情報送出手段と、前記デバイス接続手段を介して受け付けた操作指示に応じて作動する作動手段とを備えることを特徴とする。
【０００９】
本発明に係る電気装置は、メモリデバイスが備える外部接続手段を、電気機器が備えるデバイス接続手段に接続してなる電気装置において、前記メモリデバイスは、操作指示を受け付ける操作手段と、複数の電気機器及び各電気機器の動作に対応する動作情報を関連付けて記憶する動作情報記憶手段と、前記外部接続手段に接続された電気機器を検知する機器検知手段と、該機器検知手段にて検知した電気機器に関連付けて前記動作情報記憶手段に記憶してある動作情報を読み出す読出手段と、該読出手段にて読み出した動作情報に関連する操作指示を前記操作手段が受け付けるよう該操作手段及び前記操作指示の関係を前記操作手段に設定する設定手段と、該設定手段にて前記操作指示が設定された場合に前記操作手段が操作指示を受け付けたとき、受け付けた操作指示を、前記外部接続手段を介して前記電気機器へ送出する操作指示送出手段とを備え、前記電気機器は、前記デバイス接続手段を介して受け付けた操作指示に応じて作動する手段を備えることを特徴とする。
【００１０】
本発明に係るメモリデバイスは、外部の機器に接続する外部接続手段を備えるメモリデバイスにおいて、操作指示を受け付ける操作手段と、前記外部接続手段に接続される機器の動作に対応する動作情報を、前記外部接続手段を介して取得する取得手段と、該取得手段にて取得した動作情報に関連する操作指示を前記操作手段が受け付けるよう該操作手段及び前記操作指示の関係を前記操作手段に設定する設定手段と、該設定手段にて前記操作指示が設定された場合に前記操作手段が操作指示を受け付けたとき、受け付けた操作指示を、前記外部接続手段を介して外部へ送出する操作指示送出手段とを備えることを特徴とする。
【００１１】
本発明に係るメモリデバイスは、外部の機器に接続する外部接続手段を備えるメモリデバイスにおいて、操作指示を受け付ける操作手段と、複数の機器及び各機器の動作に対応する動作情報を関連付けて記憶する動作情報記憶手段と、前記外部接続手段に接続される機器を検知する機器検知手段と、該機器検知手段にて検知した機器に関連付けて前記動作情報記憶手段に記憶してある動作情報を読み出す読出手段と、該読出手段にて読み出した動作情報に関連する操作指示を前記操作手段が受け付けるよう該操作手段及び前記操作指示の関係を前記操作手段に設定する設定手段と、該設定手段にて前記操作指示が設定された場合に前記操作手段が操作指示を受け付けたとき、受け付けた操作指示を、前記外部接続手段を介して外部へ送出する操作指示送出手段とを備えることを特徴とする。
【００１２】
本発明に係る電気機器は、受け付けた操作指示に応じて作動する電気機器において、外部のデバイスを接続するデバイス接続手段と、該デバイス接続手段に前記デバイスが接続されたか否かを検知する接続検知手段と、該接続検知手段にて前記デバイスの接続を検知した場合、自身の動作に対応する動作情報を、前記デバイス接続手段を介して外部へ送出する動作情報送出手段と、前記デバイス接続手段を介して受け付けた操作指示に応じて作動する作動手段とを備えることを特徴とする。
【００１３】
本発明にあっては、メモリデバイスの外部接続手段を電気機器のデバイス接続手段に接続する。メモリデバイスは、外部接続手段に接続される電気機器の動作に対応する動作情報を、外部接続手段を介して取得する。この場合、メモリデバイスは、例えば動作情報を電気機器から読み取る、又は電気機器から能動的に送出された動作情報を受け取る。一方、電気機器は、デバイス接続手段にメモリデバイスが接続されたか否かを検知し、メモリデバイスの接続を検知した場合、メモリデバイスによる読み取りに応じて、又は能動的に、自身の動作に対応する動作情報を、デバイス接続手段を介してメモリデバイスへ送出する。
【００１４】
また、メモリデバイスは、取得した動作情報に関連する操作指示を操作手段が受け付けるよう操作手段及び操作指示の関係を操作手段に設定する。この場合、メモリデバイスは、例えば操作手段を構成する操作ボタンに対して操作指示を割り付ける。操作指示の設定後、メモリデバイスは、ユーザによる操作指示を操作手段にて受け付け、受け付けた操作指示を、外部接続手段を介して電気機器へ送出する。一方、デバイス接続手段を介して操作指示を受け付けた電気機器は、受け付けた操作指示に応じて作動する。
【００１５】
本発明にあっては、メモリデバイスの外部接続手段を電気機器のデバイス接続手段に接続する。メモリデバイスは、予め動作情報記憶手段に複数の電気機器及び各電気機器の動作に対応する動作情報を関連付けて記憶してあり、外部接続手段に接続された電気機器を検知し、検知した電気機器に関連付けられた動作情報を動作情報記憶手段から読み出す。この場合、メモリデバイスは、例えば外部接続手段に接続された電気機器に関する情報を電気機器から読み取り、又は電気機器から能動的に送出された電気機器に関する情報を受け取り、読み取った又は受け取った情報に対応する電気機器の動作情報を動作情報記憶手段から読み出す。
【００１６】
また、メモリデバイスは、読み出した動作情報に関連する操作指示を操作手段が受け付けるよう操作手段及び操作指示の関係を操作手段に設定する。この場合、メモリデバイスは、例えば操作手段を構成する操作ボタンの操作回数に対して操作指示を割り付ける。操作指示の設定後、メモリデバイスは、ユーザによる操作指示を操作手段にて受け付け、受け付けた操作指示を、外部接続手段を介して電気機器へ送出する。一方、デバイス接続手段を介して操作指示を受け付けた電気機器は、受け付けた操作指示に応じて作動する。
【発明の効果】
【００１７】
本発明の電気装置、メモリデバイス及び電気機器によれば、メモリデバイスが、電気機器からその動作に対応する動作情報を取得するか、複数の電気機器の動作に対応する動作情報を予め記憶しておくことにより、メモリデバイスと電気機器との接続時に、電気機器の動作に応じた操作指示と操作手段との関係を操作手段に設定することができる。つまり、接続する電気機器に応じた電気機器操作機能をメモリデバイスに設けることができる。このため、ユーザがメモリデバイスの操作手段を用いて、メモリデバイスが接続された電気機器を操作することができる。この結果、特に複数の電気機器の間でメモリデバイスを共有する場合に、ユーザの利便性を向上させることができる。
【００１８】
また、メモリデバイスが電気機器からその動作に対応する動作情報を取得する場合はメモリデバイスの操作手段を用いて複数の電気機器を操作することができ、メモリデバイスが複数の電気機器の動作に対応する動作情報を記憶しておく場合はメモリデバイスの操作手段を用いて予めメモリデバイスに登録された複数の電気機器を操作することができる。このため、特定の電気機器を操作することが可能な操作手段を備える従来のメモリデバイスとは異なり、本発明のメモリデバイスが備える操作手段は複数の電気機器の間での互換性を有する。この結果、電気機器に対するメモリデバイスの汎用性を高めることができる等、本発明は優れた効果を奏する。
【発明を実施するための最良の形態】
【００１９】
以下、本発明を、その実施の形態を示す図面に基づいて詳述する。
【００２０】
実施の形態  １．
図１は、本発明の実施の形態１に係るＰＣカード１、液晶テレビ２及びデジタルカメラ３夫々の構成を示す斜視図である。図２は、ＰＣカード１を液晶テレビ２のＰＣカード用スロット２ａに挿入し接続端子１５，２８を接続してなる電気装置１０１の構成を示すブロック図であり、図３は、ＰＣカード１をデジタルカメラ３のＰＣカード用スロット３ａに挿入し接続端子１５，３７を接続してなる電気装置１０２の構成を示すブロック図である。
【００２１】
ＰＣカード１は矩形薄板状をなすメモリカードであり、液晶テレビ２の接続端子２８又はデジタルカメラ３の接続端子３７に対して着脱自在に接続する接続端子１５を一端面に備え、他端部一面に３個の操作ボタン１４１，１４２，１４３を有する操作部１４を備える。また、ＰＣカード１はＣＰＵ１０、ＲＯＭ１１、ＲＡＭ１２、及び接続端子１５に接続された電気機器から送出されたデータを記憶する記憶部１３を備え、記憶部１３に記憶しているデータを接続端子１５が接続した電気機器へ送出する。ＲＡＭ１２は、操作部１４の操作ボタン１４１，１４２，１４３と、これらのいずれか１個又は複数個をユーザが操作した場合にＰＣカード１に入力される操作指示との組み合わせを記憶する。なお、操作部１４は、操作ボタンに限らず、操作レバー、ダイヤル等を有する構成でも良い。
【００２２】
液晶テレビ２は矩形板状をなし、ＣＰＵ２０、ＲＯＭ２１、ＲＡＭ２２、液晶表示パネルを用いてなる表示部２５を正面中央部に備え、左右にスピーカ２６，２６を備え、右側端面にＰＣカード用スロット２ａが開口してある。ＰＣカード用スロット２ａはＰＣカード１を嵌合させる形状を有し、ＰＣカード１に接続する接続端子２８を内奥部に備える。ここで、ＰＣカード用スロット２ａの奥行きはＰＣカード１の接続端子１５から操作部１４までの長さよりも短く、ＰＣカード用スロット２ａにＰＣカード１を嵌合した場合、操作部１４はＰＣカード用スロット２ａ外部に露出する。
【００２３】
デジタルカメラ３は、ＣＰＵ３０、ＲＯＭ３１、ＲＡＭ３２、ＣＣＤを用いた撮像部３５、操作指示を受け付ける操作部３３、及び液晶表示パネルにより構成される表示部３４を備え、内奥部に接続端子３７を設けてあるＰＣカード用スロット３ａが、デジタルカメラ３の右側端面に開口してある。更に、デジタルカメラ３は、撮像部３５で撮像して得られた画像信号に対して所定の信号処理を行ない静止画像の画像データとなす信号処理部３６を備える。
【００２４】
接続端子１５，２８，３７は、ＰＣＭＣＩＡが策定した規格に準拠し、また、電気機器及びメモリデバイスの接続時にＣＰＵ１０，２０，３０へ接続検出信号を出力し、接続の解除時に接続検出信号の出力を停止する。ＣＰＵ１０，２０，３０夫々はＰＣカード１、液晶テレビ２、及びデジタルカメラ３夫々の制御中枢であり、バス又は信号線を介してＲＯＭ１１，２１，３１、ＲＡＭ１２，２２，３２等の夫々に接続されている。ＣＰＵ１０，２０，３０夫々はＲＯＭ１１，２１，３１夫々に記憶された制御プログラム及びデータに従って各部を制御し、このときＲＡＭ１２，２２，３２夫々を作業領域として用いて各種処理を実行する。例えば、ＣＰＵ１０，２０，３０夫々は接続検出信号が入力された場合に電気機器及びメモリデバイスの接続を検知し、接続検出信号が入力されなくなった場合に接続解除を検知する。
【００２５】
ＰＣカード１は、接続端子１５を備える一端面を液晶テレビ２側へ向け、操作部１４を備える一面の向きを液晶テレビ２の表示部２５の向きに合わせて、ユーザが手動でＰＣカード用スロット２ａ内へ矢符Ａ方向に押し込むことによって液晶テレビ２に取り付けられる。このとき接続端子１５と接続端子２８とが電気的に接続され、ＣＰＵ１０は外部の電気機器の接続を検知し、ＣＰＵ２０は外部のデバイスの接続を検知する。また、ＰＣカード１は、ユーザが手動でＰＣカード用スロット２ａ内から矢符Ａ方向の逆方向へ引き出すことによって液晶テレビ２から取り外される。このとき接続端子１５と接続端子２８との接続が解除され、ＣＰＵ１０，２０の夫々は接続の解除を検知する。
【００２６】
電気装置１０１を構成するＰＣカード１は、液晶テレビ２から送出された映像データを記憶し、また、記憶している映像データ、静止画像のデータ等を液晶テレビ２へ送出する。電気装置１０１を用いるユーザは、液晶テレビ２の表示部２５を見ながら操作部１４を容易に視認して操作することができる。
【００２７】
更に、ＰＣカード１は、ユーザによってＰＣカード用スロット３ａ内へ矢符Ｂ方向に押し込まれてデジタルカメラ３に取り付けられる。このとき接続端子１５と接続端子３７とが電気的に接続され、ＣＰＵ１０，３０夫々は外部の電気機器及び外部のデバイスの接続を検知する。更にまた、ＰＣカード１は、ユーザによって矢符Ｂ方向の逆方向へ引き出されてデジタルカメラ３から取り外される。このとき接続端子１５と接続端子３７との接続が解除され、ＣＰＵ１０，３０夫々は接続の解除を検知する。電気装置１０２を構成するＰＣカード１は、デジタルカメラ３から送出された静止画像のデータを記憶し、また、記憶している静止画像のデータをデジタルカメラ３へ送出する。
【００２８】
液晶テレビ２は、ＣＰＵ２０、接続端子２８等の他、操作指示を受け付ける操作部２７、例えばＵＨＦテレビジョン放送信号及びＶＨＦテレビジョン放送信号の受信用チューナであり、操作部２７を用いてユーザが選択した放送チャンネルに応じた放送信号である映像データを取得するチューナ２３、及びチューナ２３が取得した映像データを復号して表示部２５にて表示する動画像のデータとスピーカ２６，２６から出力する音声のデータとに分離するデコーダ２４を更に備える。操作部２７は液晶テレビ２に一体に設けられた各種操作ボタンで構成されても良いが、一般には液晶テレビ２に別体に設けられ操作信号を無線で送信するリモートコントローラと液晶テレビ２に一体に設けられ操作信号を受信する受信部とで構成されている。
【００２９】
液晶テレビ２は、ＰＣカード１又は操作部１４を備えない一般的なＰＣカード型メモリカードのようなメモリデバイスが接続された場合に、チューナ２３を介して取得した映像データを、接続されたメモリデバイスへ接続端子２８を介して送出し、また、接続されたメモリデバイスから送出された映像データを、接続端子２８を介して受け付け、受け付けた映像データをデコーダ２４で復号して表示部２５及びスピーカ２６，２６で動画像及び音声として再生する。一方、デジタルカメラ３は、撮像部３５及び信号処理部３６にて生成された静止画像のデータを、接続されたメモリデバイスへ接続端子３７を介して送出し、また、接続されたメモリデバイスから送出された静止画像のデータを、接続端子３７を介して受け付け、受け付けた静止画像のデータを表示部２５で静止画像として再生する。
【００３０】
液晶テレビ２及びデジタルカメラ３は、操作部１４を備えないＰＣカード型メモリカードが接続されている場合、ユーザが操作部２７，３３を操作することによって入力される操作指示に応じて、ＰＣカード型メモリカードに対しデータの送出及び受け付けを行なう。
【００３１】
ただし、特にデジタルカメラ３の操作部３３を構成する操作ボタンの個数は、液晶テレビ２のリモートコントローラのような操作部２７を構成する操作ボタンの個数に比べて一般に少なく、また、少ない操作ボタンに多くの機能が設定されている。この結果、操作部３３を用いて所望の操作指示を入力するためには、操作ボタンの操作回数又は操作順の組み合わせをユーザが記憶している必要があり、操作作業が煩雑である。一方、液晶テレビ２の場合、ユーザはＰＣカード型メモリカードを取り付けてから、リモートコントローラを別途用いる必要がある。
【００３２】
液晶テレビ２及びデジタルカメラ３は、ＰＣカード１が接続されている場合、他のＰＣカード型メモリカードと同様に、ユーザが操作部２７，３３を操作することによって入力される操作指示に応じてＰＣカード１に対しデータの送出及び受け付けを行なうことができるが、ユーザが操作部１４を操作することによって入力される操作指示に応じてＰＣカード１に対しデータの送出及び受け付けを行なうこともできるよう構成されている。以下では、液晶テレビ２にＰＣカード１が接続される場合を例にＰＣカード１及び液晶テレビ２の設定処理と作動処理とを説明するが、デジタルカメラ３にＰＣカード１が接続される場合の設定処理と作動処理とも略同様である。
【００３３】
図４は、ＰＣカード１及び液晶テレビ２の設定処理の手順を示すフローチャートである。ＰＣカード１のＣＰＵ１０は、接続端子１５に電気機器が接続されたことを検知したか否かを判定し（Ｓ１１）、検知していない場合（Ｓ１１でＮＯ）、接続を検知するまで待機する。一方、液晶テレビ２のＣＰＵ２０は、接続端子２８にデバイスが接続されたことを検知したか否かを判定し（Ｓ２１）、検知していない場合（Ｓ２１でＮＯ）、接続を検知するまで待機する。
【００３４】
ＰＣカード１に電気機器が接続された場合、ＣＰＵ１０は、接続端子１５に電気機器が接続されたことを検知し（Ｓ１１でＹＥＳ）、動作情報送出要求を、接続された電気機器へ接続端子１５を介して送出し（Ｓ１２）、接続端子１５を介して動作情報を受け付けたか否かを判定し（Ｓ１３）、動作情報を受け付けなかった場合（Ｓ１３でＮＯ）、接続端子１５に接続された電気機器が液晶テレビ２、デジタルカメラ３等のＰＣカード１に対応する電気機器以外の電気機器であることを検知して、設定処理を終了する。この後、ＰＣカード１は操作部１４を備えないＰＣカード型メモリカードと同様に機能する。
【００３５】
液晶テレビ２にデバイスが接続された場合、ＣＰＵ２０は、接続端子２８にデバイスが接続されたことを検知し（Ｓ２１でＹＥＳ）、接続されたデバイスから接続端子２８を介して動作情報送出要求を受け付けたか否かを判定し（Ｓ２２）、動作情報送出要求を受け付けなかった場合（Ｓ２２でＮＯ）、接続されたデバイスが、例えばＰＣカード１以外のＰＣカード型メモリカードであることを検知して、設定処理を終了する。この後、ＣＰＵ２０は、ＰＣカード型メモリカードの接続が解除されるまで、操作部２７にて受け付けた操作指示に応じて、接続されたＰＣカード型メモリカードに対し映像データの書き込み及び読み出しを行なう。つまり、ＣＰＵ２０はＰＣカード１以外のデバイスの接続を検知したときは動作情報の送出を行なわない。
【００３６】
Ｓ２２にて動作情報送出要求を受け付けた場合（Ｓ２２でＹＥＳ）、ＣＰＵ２０は、接続されたデバイスがＰＣカード１であることを検知し、接続端子２８を介して液晶テレビ２の動作に対応する動作情報をＰＣカード１へ送出して（Ｓ２３）、設定処理を終了する。この後、ＣＰＵ２０は後述する図５に示す作動処理を開始する。
【００３７】
Ｓ２３にて送出される動作情報は、映像データのＰＣカード１への書き込みと読み出し及び読み出した映像データを用いた映像の再生とに対応する動作情報を含む。なお、本実施の形態の液晶テレビ２はＰＣカード１側からの動作情報送出要求に応じて液晶テレビ２の動作情報を送出しているが、このような実施形態に限らず、例えば、液晶テレビ２が、接続されたデバイスに対しＰＣカード１であるかＰＣカード１以外のデバイスであるかを問い合わせ、ＰＣカード１であることを検知した場合に動作情報を送出しても良い。
【００３８】
Ｓ１３にて、接続端子１５を介して動作情報を受け付けた場合（Ｓ１３でＹＥＳ）、ＣＰＵ１０は、接続端子１５に接続された電気機器が液晶テレビ２であることを検知し、操作部１４の設定を行ない（Ｓ１４）、設定処理を終了する。この後、ＣＰＵ１０は後述する図５に示す作動処理を開始する。
【００３９】
Ｓ１４にて、ＣＰＵ１０は、受け付けた動作情報に対応する動作を行なうよう液晶テレビ２に指示するための操作指示と操作部１４の操作ボタン１４１，１４２，１４３とを関連付けてＲＡＭ１２に記憶する。例えば、第１操作ボタン１４１と液晶テレビ２からＰＣカード１への映像データの書き込み指示とを関連付け、第２操作ボタン１４２とＰＣカード１から液晶テレビ２への映像データの読み出し及び読み出した映像データを用いた映像の再生指示とを関連付け、第３操作ボタン１４３に実行中の動作のキャンセル指示とを関連付ける。Ｓ１４の処理後、操作ボタン１４１，１４２，１４３が操作された場合、操作部１４は操作された操作ボタン１４１，１４２，１４３に関連付けてＲＡＭ１２に記憶してある操作指示を受け付ける。
【００４０】
図５は、ＰＣカード１及び液晶テレビ２の作動処理の手順を示すフローチャートである。Ｓ１４の処理完了後、ＣＰＵ１０は、接続端子１５にて液晶テレビ２の接続が解除されたことを検知したか否かを判定し（Ｓ３１）、接続の解除を検知した場合（Ｓ３１でＹＥＳ）、ＲＡＭ１２に記憶してある操作指示を消去してから作動処理を終了する。一方、Ｓ２３の処理完了後、ＣＰＵ２０は接続端子２８にてＰＣカード１の接続が解除されたことを検知したか否かを判定し（Ｓ４１）、接続の解除を検知した場合（Ｓ４１でＹＥＳ）、作動処理を終了する。
【００４１】
また、ＣＰＵ１０が接続の解除を検知していない場合（Ｓ３１でＮＯ）、ＣＰＵ１０はユーザによって操作部１４の操作ボタン１４１，１４２，１４３が操作されたか否かを判定することによって操作指示を受け付けたか否かを判定する（Ｓ３２）。一方、ＣＰＵ２０が接続の解除を検知していない場合（Ｓ４１でＮＯ）、ＣＰＵ２０はＰＣカード１が送出した操作指示を、接続端子２８を介して受け付けたか否かを判定する（Ｓ４２）。
【００４２】
操作部１４が操作されていない場合、ＣＰＵ１０は操作指示を受け付けていないと判定し（Ｓ３２でＮＯ）、操作指示の送出を行なわず、処理をＳ３１へ戻し、ＰＣカード１が液晶テレビ２から取り外されるか、又は操作部１４が操作されるかするまで待機する。一方、ＣＰＵ２０は、接続端子２８を介して操作指示を受け付けていないと判定した場合（Ｓ４２でＮＯ）、処理をＳ４１へ戻し、ＰＣカード１が取り外されるか操作指示を受け付けるかするまで待機する。なお、この場合、操作部２７から操作指示が入力されたとき、ＣＰＵ２０は入力された操作指示に応じて作動しても良い。
【００４３】
操作部１４が操作された場合、ＣＰＵ１０は操作指示を受け付けたと判定し（Ｓ３２でＹＥＳ）、操作された操作ボタン１４１，１４２，１４３に関連付けてＲＡＭ１２に記憶してある操作指示を液晶テレビ２へ接続端子１５を介して送出する（Ｓ３３）。接続端子２８を介して操作指示を受け付けた場合（Ｓ４２でＹＥＳ）、ＣＰＵ２０は受け付けた操作指示に応じて各部を作動させる（Ｓ４３）。Ｓ３３，Ｓ４３の完了後、ＣＰＵ１０，２０夫々は、処理をＳ３１，Ｓ４１へ戻す。
【００４４】
以上のような設定処理及び作動処理において、ＣＰＵ２０は、Ｓ２２、Ｓ２３及びＳ４２，Ｓ４３では、接続端子２８にＰＣカード１が接続されたか否かを検知する接続検知手段、接続検知手段にてＰＣカード１の接続を検知した場合（Ｓ２２でＹＥＳの場合）、液晶テレビ２の動作に対応する動作情報を、接続端子２８を介してＰＣカード１へ送出する動作情報送出手段、及び接続端子２８を介して受け付けた操作指示に応じて作動する作動手段として機能する。
【００４５】
また、ＣＰＵ１０は、Ｓ１２，Ｓ１３では、接続端子１５に接続された液晶テレビ２の動作に対応する動作情報を、接続端子１５を介して取得する取得手段として機能する。更に、ＣＰＵ１０は、Ｓ１４では、取得手段にて取得した動作情報に関連する操作指示を操作部１４が受け付けるよう操作ボタン１４１，１４２，１４３と操作指示との関係を操作部１４に設定する設定手段として機能する。更にまた、ＣＰＵ１０は、Ｓ３３では、設定手段にて操作指示が設定された場合（Ｓ１４の完了後）、操作部１４が操作指示を受け付けたとき（Ｓ３２でＹＥＳのとき）、操作部１４が受け付けた操作指示を、接続端子１５を介して液晶テレビ２へ送出する操作指示送出手段として機能する。
【００４６】
なお、ＣＰＵ１０，２０は、待機中に、又は一の処理の実行中に、他の処理を割り込みで実行しても良い。例えばＳ１４にて操作指示設定中にＰＣカード１と液晶テレビ２との接続が解除された場合、ＣＰＵ１０は、Ｓ１４の処理に割り込んで、ＲＡＭ１２に記憶してある操作指示を消去してから設定処理を終了する。
【００４７】
以上のような電気装置１０１においては、例えば、ユーザが第１操作ボタン１４１を操作した場合、ＣＰＵ２０は液晶テレビ２からＰＣカード１への映像データの書き込み指示を受け付け、表示部２５及びスピーカ２６，２６で再生中の映像のデータを、接続端子２８を介してＰＣカード１へ送出する。ＣＰＵ１０は、接続端子１５を介して受け付けた映像データを記憶部１３に記憶する。このとき、ＰＣカード１への映像データの書き込みは、液晶テレビ２での映像の再生と同時的に行なうことが好ましい。なお、ＰＣカード１へ書き込む映像データは、液晶テレビ２が備える図示しない記憶部に記憶してある映像データでも良い。
【００４８】
また、ユーザが第２操作ボタン１４２を操作した場合、ＣＰＵ２０はＰＣカード１から液晶テレビ２への映像データの読み出し及び読み出した映像データを用いた映像の再生指示を受け付け、接続端子２８を介してＰＣカード１へ映像データ送出要求を送出する。ＣＰＵ１０は、接続端子１５を介して映像データ送出要求を受け付けたときに記憶部１３に記憶してある映像データを、接続端子１５を介して液晶テレビ２へ送出する。ＣＰＵ２０は接続端子２８を介して受け付けた映像データをデコーダ２４で復号し表示部２５及びスピーカ２６，２６にて動画像及び音声を再生する。なお、第２操作ボタン１４２に映像データの読み出し指示を設定し、読み出した映像データを液晶テレビ２の記憶部に記憶する構成でも良い。
【００４９】
また、１個の操作指示に対し、１個の操作ボタンの１回の操作を関連付ける構成ではなく、操作ボタンの操作回数、操作順の組み合わせ等に関連付ける構成でも良い。更に、ＰＣカード１に例えば液晶表示パネルを設け、操作部１４に設定された操作指示に対応する電気機器の動作を液晶表示パネルに表示したり、電気機器が備える表示部に表示したりして、現在の設定状況をユーザに報知しても良い。この場合、ＰＣカード１が接続した電気機器毎に操作部１４に設定される操作指示が異なっても、操作部１４を用いて電気機器に実行させることが可能な動作をユーザが容易に理解できるため、ユーザの利便性が向上される。
【００５０】
このような電気装置１０１によれば、ＰＣカード１が、ＰＣカード１が接続している電気機器からその動作に対応する動作情報を取得して操作部１４に操作指示を設定し、ユーザがＰＣカード１の操作部１４を用いて電気機器を操作する。このため、特に複数の電気機器の間でＰＣカード１を共有する場合にユーザの利便性が向上される。
【００５１】
また、操作部１４に設定された操作指示は、電気機器がＰＣカード１と接続されている場合に実行されるＰＣカード１に対するデータの読み出し又は書き込みのような動作に対応している。このため、ＰＣカード１の操作に応じて電気機器がＰＣカード１に対しデータを読み書きすることができる。この結果、ユーザは電気機器に、電気機器に備えられた操作部を用いてＰＣカード１に対するデータの読み書きを実行させる必要がない。つまり、デジタルカメラ３の操作部３３にて繁雑な操作を行なったり、ＰＣカード１から液晶テレビ２のリモートコントローラに持ち替えたりする必要がなく、ユーザの利便性が向上される。
【００５２】
一方、デジタルカメラ３のように、少数の操作ボタンで構成される操作部に多数の操作指示を割り当てている電気機器の場合、ＰＣカード１に対するデータの読み書きに関し、操作ボタンの操作回数を増加させたり、操作順の組み合わせを複雑にしたりしても、ユーザの利便性を低下させることがない。即ち、ＰＣカード１と接続されている場合以外にも実行される動作に関し、操作ボタンの操作回数を減少させたり、操作順の組み合わせを簡易にしたりして、ユーザの利便性を向上させることができる。
【００５３】
実施の形態  ２．
図６は、本発明の実施の形態２に係るメモリユニット４及び液晶テレビ２夫々の構成を示す斜視図あり、図７は、本発明の実施の形態２に係る電気装置１０３の構成を示すブロック図である。電気装置１０３は実施の形態１の電気装置１０１に対応するが、非ＰＣカード型のメモリカード５０が接続されたＰＣカードアダプタ５であるメモリユニット４をＰＣカード１の代わりに液晶テレビ２に接続してある点が異なる。メモリカード５０はＰＣカードアダプタ５に設けられたメモリカード用スロットに対し、矢符Ｃ方向に押し込まれること、又は矢符Ｃ方向の逆方向に引き出されることによって、ＰＣカードアダプタ５に着脱自在に接続される。その他、実施の形態１に対応する部分には同一符号を付してそれらの説明を省略する。
【００５４】
メモリユニット４が備えるＣＰＵ４０、ＲＡＭ４２、操作部４４、及び接続端子４５は、ＰＣカード１が備えるＣＰＵ１０、ＲＡＭ１２、操作部４４、及び接続端子１５に対応する。また、メモリユニット４が備える外部記録部４３は、メモリカード５０と電気的に接続して、ＰＣカード１が備える記憶部１３と同様に機能する。
【００５５】
更に、メモリユニット４が備えるＲＯＭ４１は、ＰＣカード１が備えるＲＯＭ１１に対応するが、その記憶領域の一部が動作情報記憶部４１１であり、液晶テレビ２及びデジタルカメラ３を含む複数の電気機器の名称、型番等とその動作に対応する動作情報とを関連付けて記憶している。動作情報記憶部４１１では、例えば、液晶テレビ２と、液晶テレビ２からメモリユニット４への映像データの書き込み、メモリユニット４から液晶テレビ２への映像データの読み出し及び読み出した映像データを用いた映像の再生、並びに実行中の動作のキャンセルとが関連付けてある。なお、ＲＯＭ４１を例えばフラッシュメモリで構成し、動作情報記憶部４１１に記憶された電気機器及び／又は動作情報を修正、追加又は削除可能に構成しても良い。
【００５６】
図８は、メモリユニット４及び液晶テレビ２の設定処理の手順を示すフローチャートである。メモリユニット４のＣＰＵ４０は、接続端子４５に電気機器が接続されたことを検知したか否かを検知し（Ｓ５１）、検知していない場合（Ｓ５１でＮＯ）、接続を検知するまで待機する。液晶テレビ２のＣＰＵ２０は、接続端子２８にデバイスが接続されたことを検知したか否かを判定し（Ｓ６１）、検知していない場合（Ｓ６１でＮＯ）、接続を検知するまで待機する。
【００５７】
メモリユニット４に電気機器が接続された場合、ＣＰＵ４０は、接続端子４５に電気機器が接続されたことを検知し（Ｓ５１でＹＥＳ）、機器情報送出要求を、接続された電気機器へ接続端子４５を介して送出し（Ｓ５２）、接続端子４５を介して液晶テレビ２の機器情報を受け付けたか否かを判定し（Ｓ５３）、機器情報を受け付けなかった場合（Ｓ５３でＮＯ）、接続端子４５に接続された電気機器が液晶テレビ２、デジタルカメラ３等のＰＣカード１に対応する電気機器以外の電気機器であることを検知して、設定処理を終了する。
【００５８】
液晶テレビ２にデバイスが接続された場合、ＣＰＵ２０は、接続端子２８にデバイスが接続されたことを検知し（Ｓ６１でＹＥＳ）、接続されたデバイスから接続端子２８を介して機器情報送出要求を受け付けたか否かを判定し（Ｓ６２）、機器情報送出要求を受け付けなかった場合（Ｓ６２でＮＯ）、接続されたメモリデバイスがメモリユニット４以外のデバイス（例えば操作部４４を備えないメモリユニット）であることを検知し、設定処理を終了する。
【００５９】
Ｓ６２にて、接続端子２８を介して機器情報送出要求を受け付けた場合（Ｓ６２でＹＥＳ）、ＣＰＵ２０は、接続されたデバイスがメモリユニット４であることを検知し、接続端子２８を介して液晶テレビ２の機器情報、即ち自身が液晶テレビ２であることを示す情報をメモリユニット４へ送出して（Ｓ６３）、設定処理を終了する。このように、本実施の形態における液晶テレビ２はメモリユニット４側からの機器情報送出要求に応じて機器情報を送出しているが、このような実施形態に限らず、例えば、デバイスの接続を検知した直後に液晶テレビ２が能動的に機器情報を送出しても良い。
【００６０】
Ｓ５３にて、接続端子４５を介して液晶テレビ２の機器情報を受け付けた場合（Ｓ５３でＹＥＳ）、ＣＰＵ４０は、接続端子４５に接続された電気機器が液晶テレビ２であることを検知し、検知した電気機器に関連付けて動作情報記憶部４１１に記憶してある動作情報を読み出し（Ｓ５４）、操作部４４の設定を行なって（Ｓ５５）、設定処理を終了する。
【００６１】
Ｓ５５にて、ＣＰＵ４０は読み出した動作情報に対応する動作を行なうよう液晶テレビ２に指示するための操作指示と操作部４４の操作ボタン４４１，４４２，４４３とを関連付けてＲＡＭ４２に記憶する。Ｓ５５の処理後、操作ボタン４４１，４４２，４４３が操作された場合、操作部４４は操作された操作ボタン４４１，４４２，４４３に関連付けてＲＡＭ４２に記憶してある操作指示を受け付ける。
【００６２】
メモリユニット４及び液晶テレビ２の作動処理の手順は、実施の形態１のＰＣカード１及び液晶テレビ２の作動処理の手順に対応するため、説明を省略する。ここで、実施の形態１のＳ１４，Ｓ２３が、本実施の携帯のＳ５５，Ｓ６３に対応する。
【００６３】
以上のような設定処理において、ＣＰＵ４０は、Ｓ５２，Ｓ５３及びＳ５４では、接続端子４５に接続された液晶テレビ２を検知する機器検知手段、及び機器検知手段にて検知した液晶テレビ２に関連付けて動作情報記憶部４１１に記憶してある動作情報を読み出す読出手段として機能する。更に、ＣＰＵ４０は、Ｓ５５では、読出手段にて読み出した動作情報に関連する操作指示を操作部４４が受け付けるよう操作部４４及び操作指示の関係を操作部４４に設定する設定手段として機能する。更にまた、ＣＰＵ４０は、Ｓ３３では、設定手段にて操作指示が設定された場合（Ｓ５５の完了後）、操作部４４が操作指示を受け付けたとき（Ｓ３２でＹＥＳ）、操作部４４が受け付けた操作指示を、接続端子４５を介して液晶テレビ２へ送出する操作指示送出手段として機能する。
【００６４】
以上のような電気装置１０３においては、例えば、ユーザが第１操作ボタン４４１を操作した場合、ＣＰＵ２０は液晶テレビ２からメモリユニット４への映像データの書き込み指示を受け付け、表示部２５及びスピーカ２６，２６で再生中の映像のデータを、接続端子２８を介してメモリユニット４へ送出する。ＣＰＵ４０は、接続端子４５を介して受け付けた映像データを外部記録部４３にてメモリカード５０に記憶する。
【００６５】
また、ユーザが第２操作ボタン４４２を操作した場合、ＣＰＵ２０はメモリユニット４から液晶テレビ２への映像データの読み出し及び読み出した映像データを用いた映像の再生指示を受け付け、接続端子２８を介してメモリユニット４へ映像データ送出要求を送出する。ＣＰＵ４０は、接続端子４５を介して映像データ送出要求を受け付けたときにメモリカード５０に記憶してある映像データを外部記録部４３にて読み出し、接続端子４５を介して液晶テレビ２へ送出する。ＣＰＵ２０は接続端子２８を介して受け付けた映像データをデコーダ２４で復号し表示部２５及びスピーカ２６，２６にて動画像及び音声を再生する。
【００６６】
このような電気装置１０３によれば、特に複数の電気機器の間でメモリユニット４を共有する場合にユーザの利便性が向上され、また、ユーザは電気機器に、電気機器に備えられた操作部を用いてメモリユニット４に対するデータの読み書きを実行させる必要がない。更に、メモリカード５０を取り替えることによってメモリユニット４から電気機器へ読み出すデータの交換、電気機器からメモリユニット４へ書き込むデータのデータ量を増加させること等が容易に実行される。更にまた、ＰＣカード用スロットを備えない電気機器に対するデータの読み書きがメモリカード５０を介して実行される。
【００６７】
なお、本実施の形態１，２においては、ＰＣカード１とメモリユニット４とをメモリデバイスとして例示し、液晶テレビ２とデジタルカメラ３とを電気機器として例示しているが、これらに限るものではない。例えばハードディスク、磁気テープ等を記録媒体として用いるメモリデバイスでも、音声を録音するボイスレコーダ、動画像を撮像するデジタルビデオカメラ等の電気機器でも良い。
【図面の簡単な説明】
【００６８】
【図１】本発明の実施の形態１に係るＰＣカード、液晶テレビ及びデジタルカメラ夫々の構成を示す斜視図である。
【図２】本発明の実施の形態１に係るＰＣカードを液晶テレビに接続してなる電気装置の構成を示すブロック図である。
【図３】本発明の実施の形態１に係るＰＣカードをデジタルカメラに接続してなる電気装置の構成を示すブロック図である。
【図４】本発明の実施の形態１に係るＰＣカード及び液晶テレビの設定処理の手順を示すフローチャートである。
【図５】本発明の実施の形態１に係るＰＣカード及び液晶テレビの作動処理の手順を示すフローチャートである。
【図６】本発明の実施の形態２に係るメモリユニット及び液晶テレビ夫々の構成を示す斜視図である。
【図７】本発明の実施の形態２に係るメモリユニットを液晶テレビに接続してなる電気装置の構成を示すブロック図である。
【図８】本発明の実施の形態２に係るメモリユニット及び液晶テレビの設定処理の手順を示すフローチャートである。
【符号の説明】
【００６９】
１  ＰＣカード（メモリデバイス）
１４，４４  操作部（操作手段）
１５，４５  接続端子（外部接続手段）
２  液晶テレビ（電気機器）
３  デジタルカメラ（電気機器）
２８，３７  接続端子（デバイス接続手段）
４  メモリユニット（メモリデバイス）
４１１  動作情報記憶部（動作情報記憶手段）
５  ＰＣカードアダプタ
５０  メモリカード
【図１】
2005258914.tif 000003
【図２】
2005258914.tif 000004
【図３】
2005258914.tif 000005
【図４】
2005258914.tif 000006
【図５】
2005258914.tif 000007
【図６】
2005258914.tif 000008
【図７】
2005258914.tif 000009
【図８】
2005258914.tif 000010